(57)【特許請求の範囲】
【請求項１】
第１の伝送手段によって再生装置から記録装置へデジタルデータの伝送を行い、第２の伝送手段によって互いの装置の情報を認識し合う再生装置と記録装置との認証方法において、
前記記録装置が第２の伝送手段を介して前記再生装置に対して所定の期間第１の伝送手段に前記デジタルデータを出力しないように要求し、前記再生装置は、前記要求を受けて所定の期間第１の伝送手段への前記デジタルデータの出力を停止するとともに、前記記録装置は、所定の期間のみ第１の伝送手段から前記デジタルデータの入力がなければ、第１の伝送手段によって正規の再生装置に接続されていると判断し、前記再生装置に対して、第２の伝送手段を介して前記デジタルデータの出力を許可することによって、
前記再生装置が第１の伝送手段に前記デジタルデータを出力しない期間を設け、該期間に基づき前記再生装置と前記記録装置とが相互認証を行うことを特徴とする再生装置と記録装置との認証方法。
【請求項２】
第１の伝送手段によって再生装置から記録装置へデジタルデータの伝送を行い、第２の伝送手段によって互いの装置の情報を認識し合う再生装置と記録装置との認証方法において、
前記記録装置は、前記再生装置に要求する前記デジタルデータの出力パターンを複数記憶しているとともに、第２の伝送手段を介して前記再生装置に対して前記出力パターンから選択した任意の出力パターンを要求し、前記再生装置は、前記任意の出力パターンの要求に応じて所定の期間第１の伝送手段への前記デジタルデータを出力するとともに、前記記録装置は、第１の伝送手段から入力される前記デジタルデータが前記任意の出力パターン通りであれば、第１の伝送手段によって正規の再生装置に接続されていると判断し、前記再生装置に対して、第２の伝送手段を介して前記デジタルデータ出力を許可することによって、
前記再生装置が第１の伝送手段に前記デジタルデータを出力しない期間を設け、該期間に基づき前記再生装置と前記記録装置とが相互認証を行うことを特徴とする再生装置と記録装置との認証方法。
【請求項３】
前記出力パターンは出力と非出力を交番に繰り返すパターンであるとともに、前記記録装置は乱数を発生させ、該乱数に基づき前記出力パターンから任意の出力パターンを選択することを特徴とする請求項２に記載の再生装置と記録装置との認証方法。
【請求項４】
再生機器と、記録装置と、第１の伝送手段と、第２の伝送手段と、を備えるとともに、請求項１〜３のいずれかに記載の再生装置と記録装置との認証方法を用いて前記再生装置と前記記録装置との相互認証を行うことを特徴とする記録再生装置。
【発明の詳細な説明】
【０００１】
【発明の属する技術分野】
本発明は、再生装置と記録装置との認証方法及びその認証方法を用いた記録再生装置に関するものである。
【０００２】
【従来の技術】
従来、記録再生装置において、別体から成る再生機器と記録機器との相互認証は再生機器と記録機器に接続されたシリアルバスラインを通して行われることが一般的なものであった。
【０００３】
記録再生装置は、図７（ａ）に示すような構成になっている。再生機器７から記録機器１にシリアルバスライン１６を介して再生機器７の機器情報が伝達される。記録機器１では、内部に設けられたマイクロコンピュータ（図示せず）がシリアルバスライン１６を介して入力される再生機器７の機器情報に基づき、再生機器７が正規の機器であるか否かを判定する。また、記録機器１から再生機器７にシリアルバスライン１６を介して記録機器１の機器情報が伝達される。再生機器７では、内部に設けられたマイクロコンピュータ（図示せず）がシリアルバスライン１６を介して入力される記録機器１の機器情報に基づき、記録機器１が正規の機器であるか否かを判定する。
【０００４】
このような動作によって、記録機器１と再生機器７との相互認証がシリアルバスライン１６を介して行われている。相互認証の結果、各々の機器が互いを正規の機器であると認証した場合、記録機器１は記録可能状態となり、再生機器７は再生可能状態となって、デジタルデータがデジタル信号ライン１５を介して再生機器７から記録機器１に出力されることでコピーが行われる。これにより、シリアスバスライン１６に正規の機器が接続されていない状態で行われる不正なコピーを防止することができる。
【０００５】
【発明が解決しようとする課題】
しかし、このような記録再生装置では、再生機器７と記録機器１との相互認証をシリアルバスライン１６のみで行っているため、図７（ｂ）に示すようにシリアルバスライン１６により相互認証された再生機器以外の再生機器１３（以下、「外部再生機器」という）が記録機器１のデジタル信号ライン入力端子に接続された場合においても、相互認証が成立し本来禁止されるべき外部再生機器１３からのデジタルデータ伝送が可能となる。
【０００６】
また、図７（ｃ）に示すようにシリアルバスライン１６により相互認証された記録機器以外の記録機器１７（以下、「外部記録機器」という）が再生機器７のデジタル信号ライン出力端子に接続された場合においても、相互認証が成立し本来禁止されるべき外部記録機器１７へのデジタルデータ伝送が可能となる。
【０００７】
このような外部再生機器１３や外部記録機器１７を用いた不正なコピーを防止するために、従来技術ではシリアルバスライン１６による相互認証だけでなく、デジタル信号ライン１５によって伝送されるデジタルデータの暗号化及び複号化を行っていた。
【０００８】
しかしながら、デジタル信号ライン１５によって伝送されるデジタルデータの暗号化及び複号化を行った場合、記録再生機器の構成が複雑になり、コストがかかってしまう。
【０００９】
本発明は、上記の問題点に鑑み、簡易な構成によって不正なコピーを防ぐことができる再生装置と記録装置との認証方法及びその認証方法を用いた記録再生装置を提供することを目的とする。
【００１０】
【課題を解決するための手段】
上記目的を達成するために、本発明に係る再生装置と記録装置との認証方法においては、第１の伝送手段によって再生装置から記録装置へデジタルデータの伝送を行い、第２の伝送手段によって互いの装置の情報を認識し合うとともに、前記記録装置が第２の伝送手段を介して前記再生装置に対して所定の期間第１の伝送手段に前記デジタルデータを出力しないように要求し、前記再生装置は、前記要求を受けて所定の期間第１の伝送手段への前記デジタルデータの出力を停止し、前記記録装置は、所定の期間第１の伝送手段から前記デジタルデータの入力がなければ、第１の伝送手段によって正規の再生装置に接続されていると判断し、前記再生装置に対して、第２の伝送手段を介して前記デジタルデータの出力を許可することにより、前記再生装置が第１の伝送手段に前記デジタルデータを出力しない期間を設け、該期間に基づき前記再生装置と前記記録装置とが相互認証を行うことを特徴としている。
【００１２】
また、本発明に係る再生装置と記録装置との認証方法においては、第１の伝送手段によって前記再生装置から前記記録装置へデジタルデータの伝送を行い、第２の伝送手段によって互いの装置の情報を認識し合うとともに、前記記録装置は、前記再生装置に要求する前記デジタルデータの出力パターンを複数記憶し、第２の伝送手段を介して前記再生装置に対して前記出力パターンから選択した任意の出力パターンを要求し、前記再生装置は、前記任意の出力パターンの要求に応じて所定の期間第１の伝送手段への前記デジタルデータを出力するとともに、前記記録装置は、第１の伝送手段から入力される前記デジタルデータが前記任意の出力パターン通りであれば、第１の伝送手段によって正規の再生装置に接続されていると判断し、前記再生装置に対して、第２の伝送手段を介して前記デジタルデータ出力を許可することにより、前記再生装置が第１の伝送手段に前記デジタルデータを出力しない期間を設け、該期間に基づき前記再生装置と前記記録装置とが相互認証を行うことを特徴としている。
【００１３】
さらに、前記出力パターンは出力と非出力を交番に繰り返すパターンであるとともに、前記記録装置は乱数を発生させ、該乱数に基づき前記出力パターンから任意の出力パターンを選択するようにしてもよい。
【００１４】
また、本発明に係る記録再生装置においては、再生機器と、記録装置と、第１の伝送手段と、第２の伝送手段と、を備えるとともに、上記認証方法を用いて前記再生装置と前記記録装置との相互認証を行うことを特徴としている。
【００１５】
【発明の実施の形態】
本発明の一実施形態について図面を参照して説明する。第一実施形態の記録再生装置の構成を図１に示す。なお、従来の記録再生装置と同一の部分には、同一の符号を付す。
【００１６】
記録再生装置は、記録機器１と、再生機器７と、記録機器１と再生機器７とを接続しているデジタル信号ライン１５及びシリアルバスライン１６と、を備えている。なお、デジタル信号ライン１５とシリアルバスライン１６とは、一つのケーブル内に収められている。
【００１７】
記録機器１にはマイクロコンピュータ３（以下、「マイコン」という）が設けられ、再生機器７にはマイクロコンピュータ９（以下、「マイコン」という）が設けられている。
【００１８】
マイコン９内のシリアル入出力手段１１からマイコン３内のシリアル入出力手段６にシリアルバスライン１６を介して再生機器７の機器情報Ｓ１が伝達される。記録機器１では、シリアル入出力手段６からマイコン３内の判別手段５に再生機器７の機器情報Ｓ１が送られる。判別手段５は、再生機器７の機器情報Ｓ１に基づき、再生機器７が正規の機器であるか否かを判定する。
【００１９】
また、マイコン３内のシリアル入出力手段６からマイコン９内のシリアル入出力手段１１にシリアルバスライン１６を介して記録機器１の機器情報Ｓ２が伝達される。再生機器７では、シリアル入出力手段１１からマイコン９内の判別手段１２に記録機器１の機器情報Ｓ２が送られる。判別手段１２は、記録機器１の機器情報Ｓ２に基づき、記録機器１が正規の機器であるか否かを判定する。
【００２０】
このような動作によって、記録機器１と再生機器７との相互認証がシリアルバスライン１６を介して行われている。
【００２１】
また、再生機器７の出力手段８は、マイコン９内の制御手段１０によって制御されており、ＣＤ２１に記録されているデジタルデータを再生し、デジタルデータＳ３としてデジタル信号ライン１５に出力する。
【００２２】
記録機器１の入力手段２は、マイコン３内の制御手段４によって制御されており、デジタル信号ライン１５からデジタルデータＳ３を受け取り、デジタルデータＳ３をＭＤ２０に記録する。
【００２３】
再生機器７が再生状態でないときも、すなわち出力手段８がデジタルデータＳ３を出力していないときも、所定の情報を含んだデジタルデータＳ４（再生データはない、機器のステータス、標本化周波数等のデータ）が、再生機器７からデジタル信号ライン１５を介して記録機器１に常時出力されている。
【００２４】
入力手段２には、ＰＬＬ（Phase Locked Loop）が設けられている（図示せず）。入力手段２に設けられているＰＬＬは、出力手段８からデジタルデータＳ３又はＳ４が出力されていれば内部周波数が固定されている状態（以下、「ＬＯＣＫ状態」という）となっている。デジタルデータＳ３が出力されていないときは常時デジタルデータＳ４が出力されているので、入力手段２に設けられているＰＬＬは常時ＬＯＣＫ状態となっている。
【００２５】
ここで、出力手段８からのデジタルデータＳ４の出力を所定の期間一時的に停止すれば、入力手段２に設けられているＰＬＬを所定の期間内部周波数が固定されていない状態（以下、「ＵＮＬＯＣＫ状態」という）にすることができる。
【００２６】
上述したシリアルバスライン１６による相互認証に加えて、入力手段２に設けられているＰＬＬの状態変化に基づく相互認証を行う。この動作を図２のフローチャートを用いて説明する。
【００２７】
ユーザーが再生機器７で再生するデジタルデータを記録機器１にて記録媒体に記録しようとする操作を行ったときに、図２に示すフローチャートの動作が開始する。記録機器１のシリアル入出力手段６は、出力停止信号Ｓ５をシリアルバスライン１６を介して再生機器７のシリアル入出力手段１１に送信する（ステップ＃１００）。シリアル入出力手段１１は、出力停止信号Ｓ５を受信する（ステップ＃２００）。出力停止信号Ｓ５は判別手段１２を介して出力手段８に送られる。出力手段８は、出力停止信号Ｓ５に基づき所定の期間デジタル信号ライン１５へのデジタルデータＳ４の出力を停止する（ステップ＃２０５）。
【００２８】
入力手段２に設けられているＰＬＬは、出力手段８からデジタルデータＳ４の出力がないので、所定の期間ＵＮＬＯＣＫ状態になる（ステップ＃１０５）。
【００２９】
所定の期間が経過し、出力手段８からデジタルデータＳ４の出力が再開されると（＃２１０）、入力手段２に設けられているＰＬＬがＬＯＣＫ状態になる（ステップ＃１１０）。入力手段２に設けられているＰＬＬがＬＯＣＫ状態かＵＮＬＯＣＫ状態であるかのデータはマイコン３内の判別手段５に送られており、判別手段５は所定の期間のみＰＬＬがＵＮＬＯＣＫ状態であったかを判定する（ステップ＃１１５）。
【００３０】
所定の期間のみＰＬＬがＵＮＬＯＣＫ状態でなければ（ステップ＃１１５のＮ）、判別手段５はシリアル入出力手段６、シリアスバスライン１６、シリアル入出力手段１１、及び判別手段１２を介して出力手段８に再生不許可信号を送り、再生機器７が再生を行えないようにし、且つ、入力手段２に記録不許可信号を送り、記録機器１が記録を行えないようにする（ステップ＃１２０）。すなわち、相互認証が不成立となり、デジタルデータＳ３がＭＤ２０に記録されることなく相互認証の動作が終了する。
【００３１】
一方、所定の期間のみＰＬＬがＵＮＬＯＣＫ状態であれば（ステップ＃１１５のＹ）、判別手段５はシリアル入出力手段６、シリアスバスライン１６、シリアル入出力手段１１、及び判別手段１２を介して出力手段８に再生許可信号を送り、再生機器７が再生を行えるようにし、且つ、入力手段２に記録許可信号を送り、記録機器１が記録を行えるようにする（ステップ＃１２５）。すなわち、相互認証が成立となる。その後、再生機器７では再生を開始し（ステップ＃２１５）、記録機器１では記録を開始する（ステップ＃１３０）ことで、デジタルデータＳ３がＭＤ２０に記録され始め、相互認証の動作が終了する。
【００３２】
その後もユーザーが再生機器７で再生するデジタルデータを記録機器１にて記録媒体に記録しようとする操作を行ったときは、その都度シリアルバスライン１６による相互認証に加えて上述したフローチャートに基づく相互認証を行う。
【００３３】
これにより、外部再生機器からのデジタルデータ伝送を防止することができる。図３に示すように記録機器１にデジタル信号ライン１４を介して外部再生機器１３が接続されている場合、シリアルバスライン１６は記録機器１と再生機器７とに接続されているため、シリアルバスライン１６による相互認証では互いに正規の機器に接続されていると判定する。
【００３４】
しかしながら、このような構成では入力手段２のＰＬＬがＵＮＬＯＣＫ状態に成ることがないので、図２のフローチャートでのステップ＃１１５における判定の結果、ステップ＃１２０に進み記録機器１は記録可能状態にならない。従って、外部再生機器１３を用いた不正コピーを防ぐことができる。
【００３５】
また、外部記録機器へのデジタルデータ伝送も防止することができる。図４に示すように再生機器７にデジタル信号ライン１８を介して外部記録機器１７が接続されている場合、シリアルバスライン１６は記録機器１と再生機器７とに接続されているため、シリアルバスライン１６による相互認証では互いに正規の機器に接続されていると判定する。
【００３６】
しかしながら、このような構成では入力手段２のＰＬＬが常時ＵＮＬＯＣＫ状態に成るので、図２のフローチャートでのステップ＃１１５における判定の結果、ステップ＃１２０に進み再生機器１は再生可能状態にならない。従って、外部記録機器１７を用いた不正コピーを防ぐことができる。
【００３７】
次に、第二実施形態について説明する。第二実施形態の記録再生装置の構成図は、第一実施形態と同様図１のようになる。第二実施形態においても、第一実施形態と同様にシリアルバスライン１６による相互認証に加えて、入力手段２に設けられているＰＬＬの状態変化に基づく相互認証を行う。この動作を図５のフローチャートを用いて説明する。
【００３８】
記録機器１のマイコン３は乱数を発生させ（ステップ＃３００）、発生した乱数をパターン番号ｎとする（ステップ＃３０５）。判別手段５は、図６（ａ）に示すようなデータテーブルを予め記憶している。マイコン３は、そのデータテーブルからパターン番号ｎに対応する出力切替信号Ｓ６nを求め、シリアル入出力手段６から出力切替信号Ｓ６nを送信する（ステップ＃３１０）。
【００３９】
シリアル入出力手段１１は、シリアルバスライン１６を介して出力切替信号Ｓ６nを受信する（ステップ＃４００）。判別手段１２は、出力切替信号Ｓ６nに対応する所定の出力／非出力切り替えパターンを予め記憶されている周期Ｔにて切り替え図６（ｂ）に示すような信号Ｓ７にして、出力手段８に送信する（ステップ＃４０５）。なお、図６（ｂ）に示す信号Ｓ７は、出力切替信号Ｓ６1に対応している。出力手段８からデジタル信号ライン１５を介して入力手段２に送られるデジタルデータＳ４は、信号Ｓ７が「１」の区間のときは出力され、信号Ｓ７が「０」の区間のときは出力されない。これにより、デジタルデータＳ４は、出力切替信号Ｓ６nに応じて所定の期間、周期Ｔで出力／非出力が切り替わることになる。
【００４０】
入力手段２に設けられているＰＬＬでは、出力手段８からデジタル信号ライン１５を介して送られるデジタルデータＳ４の出力／非出力の切り替えに応じて所定の期間、周期ＴでＬＯＣＫ状態／ＵＮＬＯＣＫ状態の切り替わりが起こる（ステップ＃３１５）。
【００４１】
所定の期間が経過すると、出力手段８からデジタルデータＳ４の常時出力が再開され（ステップ＃４１０）、それに応じて入力手段２に設けられているＰＬＬはＬＯＣＫ状態のままになる（ステップ＃３２０）。ステップ＃３２５では、判別手段５が、入力手段２に設けられているＰＬＬのＬＯＣＫ状態／ＵＮＬＯＣＫ状態切り替わりがパターン番号ｎ通りであるかを図６（ａ）に示したデータテーブルに基づいて判定する。
【００４２】
ＰＬＬのＬＯＣＫ状態／ＵＮＬＯＣＫ状態切り替わりがパターン番号ｎ通りでなければ（ステップ＃３２５のＮ）、シリアル入出力手段６、シリアスバスライン１６、シリアル入出力手段１１、及び判別手段１２を介して出力手段８に再生不許可信号を送り、再生機器７が再生を行えないようにし、且つ、入力手段２に記録不許可信号を送り、記録機器１が記録を行えないようにする（ステップ＃３３０）。すなわち、相互認証が不成立となり、デジタルデータＳ３がＭＤ２０に記録されることなく相互認証の動作が終了する。
【００４３】
一方、ＰＬＬのＬＯＣＫ状態／ＵＮＬＯＣＫ状態切り替わりがパターン番号ｎ通りであれば（ステップ＃３２５のＹ）、シリアル入出力手段６、シリアスバスライン１６、シリアル入出力手段１１、及び判別手段１２を介して出力手段８に再生許可信号を送り、再生機器７が再生を行えるようにし、且つ、入力手段２に記録許可信号を送り、記録機器１が記録を行えるようにする（ステップ＃３３５）。すなわち、相互認証が成立となる。その後、再生機器７では再生を開始し（ステップ＃４１５）、記録機器１では記録を開始する（ステップ＃３４０）ことでデジタルデータＳ３がＭＤ２０に記録され始め、相互認証の動作が終了する。
【００４４】
本実施形態では、多数の出力パターンから乱数に基づき一つの出力パターンを選択する構成としているので、第一実施形態に比べて複雑の認証方法になる。これにより、より安全性の高い認証方法が実現できる。
【００４５】
また、データテーブルは記録再生機器一台毎に異なった設定にしてもよい。例えば、記録機器２２には図６（ｃ）に示すデータテーブルを予め記憶させておき、記録機器２３には図６（ｄ）に示すデータデーブルを予め記憶させおく。このようにすると、図８に示すように同一モデルの記録機器２２及び２３を記録機器１に並列に接続して一度に複数のＭＤにコピーを行おうとした場合でも、各々の記録機器に記憶されているデータテーブルが異なっているので、記録機器２２及び２３は再生機器７との相互認証が成立せず、使用することができない。さらに、周期Ｔについても記録再生機器毎に異なった設定にしてもよい。
【００４６】
尚、第一及び第二実施形態においては、デジタル信号ライン１５およびシリアルバスライン１６にケーブルを用いたが、本発明はこれに限定されることはなく、例えば光や電波を用いたワイヤレス方式に適用した場合でも同様の効果を得ることができる。なお、ワイヤレス方式にした場合、ケーブル方式に比べて記録再生機器の利用範囲が広くなる。
【００４７】
また、第一及び第二実施形態では、再生速度及び記録速度にかかわらずデジタルデータＳ４の出力／非出力に基づく相互認証を行ったが、再生速度及び記録速度が定速の場合はデジタルデータＳ４の出力／非出力に基づく相互認証は行わず再生速度及び記録速度が倍速以上の場合に限りデジタルデータＳ４の出力／非出力に基づく相互認証を行うような構成にしてもよい。
【００４８】
また、第一及び第二実施形態では、記録機器１がシリアルバスライン１６に信号Ｓ５またはＳ６nを出力し、その信号に応じて再生機器７がデジタルデータＳ４の出力／非出力を行ったが、本発明はこれに限定されることはなく、例えば記録再生機器一台毎に一つずつ異なるデジタルデータＳ４の出力／非出力パターンを設定にしておき、再生機器７のマイコン９はデジタルデータＳ４の出力／非出力パターンを予め記憶しておき、記録機器１のマイコンはデジタルデータＳ４の出力／非出力のパターンに対応するＰＬＬのＬＯＣＫ／ＵＮＬＯＣＫ状態パターンを予め記憶しておく構成にしてもよい。
【００４９】
また、第一及び第二実施形態においては、ＣＤ２１を再生し、その再生データをＭＤ２０に記録したが、本発明はこれに限定されることはなく、例えばＤＶＤ−ＲＯＭを再生し、その再生データをＤＶＤ−ＲＡＭに記録するなど他の記録媒体を用いても同様の効果を得ることができる。
【００５０】
【発明の効果】
本発明によると、所定の期間のみ第１の伝送手段から前記デジタルデータの入力がなければ、第１の伝送手段によって正規の再生装置に接続されていると判断することにより、再生装置が第１の伝送手段にデジタルデータを出力しない期間に基づき再生装置と記録装置とが相互認証を行うので、シリアルバスラインを正規の再生装置及び記録装置に接続し、デジタル信号ラインの一端を外部記録機器または外部再生機器に接続する構成によって不正なコピーが行われることを防止できる。また、デジタルデータを再生装置で暗号化し記録装置で複号化する従来技術の不正コピー防止方法に比べて簡易な構成であるので、低コスト化を図ることができる。
【００５２】
また、本発明によると、記録装置は再生装置に要求するデジタルデータの出力パターンを複数記憶しているとともに、その出力パターンから任意のパターンを選択することにより、再生装置が第１の伝送手段にデジタルデータを出力しない期間に基づき再生装置と記録装置とが相互認証を行うので、一つの出力パターンしか有しない場合に比べてより安全性の高い認証方法となり、不正なコピーを確実に防止することができる。
【００５３】
また、本発明によると、出力パターンを出力と非出力を交番に繰り返すパターンとしているので、容易に多数のパターンを設定することができる。また、発生させた乱数に基づいて複数の出力パターンから任意の出力パターンを選択するので、より一層安全性の高い認証方法となり、不正なコピーをより確実に防止することができる。さらに、乱数と出力パターンとの対応を記録再生機器毎に異なった設定にすることで、同一モデルの記録機器を複数並列に接続して使用する構成によって不正コピーが行われることを防止できる。
【図面の簡単な説明】
【図１】      本発明に係る記録再生装置の構成を示すブロック図である。
【図２】      第一実施形態における動作を示すフローチャート図である。
【図３】      本発明に係る記録再生装置に外部再生機器が接続された場合の構成を示すブロック図である。
【図４】      本発明に係る記録再生装置に外部記録機器が接続された場合の構成を示すブロック図である。
【図５】      第二実施形態における動作を示すフローチャート図である。
【図６】      出力切替信号を示す図である。
【図７】      従来の記録再生装置の構成を示すブロック図である。
【図８】      同一モデルの記録機器を並列に接続した構成を示すブロック図である。
【符号の説明】
１    記録機器
２    入力手段
３    マイクロコンピュータ
４    制御手段
５    判別手段
６    シリアル入出力手段
７    再生機器
８    出力手段
９    マイクロコンピュータ
１０    制御手段
１１    シリアル入出力手段
１２    判別手段
１３    外部再生機器
１４    デジタル信号ライン
１５    デジタル信号ライン
１６    シリアルバスライン
１７    外部記録機器
１８    デジタル信号ライン
２０    ＭＤ
２１    ＣＤ
２２    記録機器
２３    記録機器
【図１】
0003794904.tif 000002
【図２】
0003794904.tif 000003
【図３】
0003794904.tif 000004
【図４】
0003794904.tif 000005
【図５】
0003794904.tif 000006
【図６】
0003794904.tif 000007
【図７】
0003794904.tif 000008
【図８】
0003794904.tif 000009